【手続補正書】
【提出日】平成28年11月14日(2016.11.14)
【手続補正１】
【補正対象書類名】明細書
【補正対象項目名】００１３
【補正方法】変更
【補正の内容】
【００１３】
画像処理装置１００において、ミラー１３０が光軸上にあるときに、ミラー１３０及び１３１を介して、入射した入射光を結像して、光学ファインダ１０４からユーザが撮影する静止画の構図を確認することが可能である。撮像素子１４００は、後述する列ＡＤ回路やタイミング制御ブロックを含み、ミラー１３０が光軸から退避しているときに、レンズユニット３００を介して入射した光学像を光電変換して電気信号に変換する。シャッター１２は、撮像素子１４００への露光量を制御する。システム制御回路５０（以下、「ＣＰＵ」と呼ぶ。）は、画像処理を含む画像処理装置１００全体を制御する。
【手続補正２】
【補正対象書類名】明細書
【補正対象項目名】００１４
【補正方法】変更
【補正の内容】
【００１４】
モニタ１２００は、液晶ディスプレイ（ＬＣＤ）などにより構成され、ライブビュー画像の表示や、撮影した静止画像を表示することが可能である。シャッタースイッチ６１は、静止画の撮影を指示するためのもので、２段階の構成を有し、１段目まで浅く押すことを半押しと呼び、２段目まで深く押すことを全押しと呼ぶ。半押しでは自動焦点調節や、撮影前の状態における自動露出機構によるシャッター速度と絞り数値の設定を含む自動露出制御が行われる。全押しによりシャッター１２が動作し、撮影動作が実施される。動画記録スタート・ストップスイッチ６２は、動画の撮影を指示するためのもので、記録開始が指示されると、連続して動画記録動作を行う。
【手続補正３】
【補正対象書類名】明細書
【補正対象項目名】００１５
【補正方法】変更
【補正の内容】
【００１５】
電源スイッチ６０は、画像処理装置１００の電源オン、電源オフの切り替えを行う。また、画像処理装置１００に接続されたレンズユニット３００、外部ストロボ、記録媒体２００等の各種付属装置の電源オン、電源オフの設定も合わせて切り替え設定可能である。
【手続補正４】
【補正対象書類名】明細書
【補正対象項目名】００１７
【補正方法】変更
【補正の内容】
【００１７】
電源制御部８０は、電池検出回路、ＤＣ-ＤＣコンバータ、通電するブロックを切り替えるスイッチ回路等から構成されている。さらに電池の装着の有無、電池の種類、電池残量の検出を行い、その検出結果及びシステム制御回路５０の指示に基づいてＤＣ-ＤＣコンバータを制御し、必要な電圧を必要な期間、記録媒体を含む各部に供給する。電源制御部８０は、コネクタ８２及び８４を介して電源部８６と接続される。電源部８６は、アルカリ電池やリチウム電池等の一次電池は、Ｌｉ電池などの二次電池、ＡＣアダプタ等から成る。
【手続補正５】
【補正対象書類名】明細書
【補正対象項目名】００２１
【補正方法】変更
【補正の内容】
【００２１】
次に、本第１の実施形態における撮像素子１４００の構成について説明する。図２は、撮像素子１４００の構成を示すブロック図である。撮像素子１４００は、主に、画素部２１０、列アナログ・デジタル変換回路７００、タイミング制御部２３０、垂直走査回路２４０、水平走査回路２５０、信号処理部２６０から構成されている。
【手続補正６】
【補正対象書類名】明細書
【補正対象項目名】００２４
【補正方法】変更
【補正の内容】
【００２４】
画素部２１０には、上記構成を有する複数の画素２１１が２次元状に配置されている。列ＡＤ回路７００は、画素部２１０の各列の垂直出力線２１２の一端に配置されている。本第１の実施形態における列ＡＤ回路７００は、比較器７０８，７０９、カウンタ７１０，７１１、参照信号発生器７０１，７０２から構成されている。比較器７０８，７０９は、参照信号発生器７０１，７０２にそれぞれ接続されていると共に、各列に比較器７０８，７０９のいずれかが交互に配置されている。
【手続補正７】
【補正対象書類名】明細書
【補正対象項目名】００７２
【補正方法】変更
【補正の内容】
【００７２】
タイミングＴ１００３において、参照信号発生器７０１，７０２は参照信号レベルを予め決められた範囲において変更し終えたため、ＣＰＵ５０はタイミング制御部２３０を制御してカウンタ７１０，７１１へのクロック信号出力を止める。また参照信号線７０４をリセットし、比較器７０８，７０９のレベルもＨＩＧＨに戻す。
【手続補正８】
【補正対象書類名】明細書
【補正対象項目名】００７６
【補正方法】変更
【補正の内容】
【００７６】
タイミングＴ１００８において、参照信号発生器７０１，７０２は参照信号レベルを予め決められた範囲において変更し終えたため、ＣＰＵ５０はタイミング制御部２３０を制御してカウンタ７１０，７１１へのクロック信号出力を止める。また参照信号線７０４をリセットし、比較器７０８，７０９のレベルもＨＩＧＨに戻す。
【手続補正９】
【補正対象書類名】明細書
【補正対象項目名】００８２
【補正方法】変更
【補正の内容】
【００８２】
演算部１１０２の演算は次のとおりである。Ｔ８００からＴ８０２までとＴ８０６からＴ８０８までの参照信号の出力期間のカウンタ７１１からの出力には、第２の実施形態のカウンタ開始レベルであるＤＬ８３１のデジタル値を加算する。Ｔ８０２からＴ８０４までとＴ８０８からＴ８１０までの参照信号の出力期間のカウンタ７１１からの出力には、カウンタのＭＡＸ値であるＤＬ８３２からＤＬ８３１を減算したデジタル値を加算する。
【手続補正１０】
【補正対象書類名】明細書
【補正対象項目名】００８４
【補正方法】変更
【補正の内容】
【００８４】
上記の通り第５の実施形態によれば、第１、第２、第４の実施形態と同様の効果に加え、カウンタに繋がる制御線を少なくすることができるため、撮像素子のチップ面積を小さくすることができる。
【手続補正１１】
【補正対象書類名】明細書
【補正対象項目名】００８７
【補正方法】変更
【補正の内容】
【００８７】
図１１に第６の実施形態における撮像素子１４００の回路構成を示す。第１〜第５の実施形態で説明した回路構成とは、列ＡＤ回路の配置が異なる。本第６の実施形態では参照信号発生器７０１、比較器７０８、カウンタ７１０、水平走査回路２５０と、これらを繋ぐ配線がまとめられて、列ＡＤブロック１３０２を構成している。また、参照信号発生器７０２、比較器７０９、カウンタ７１１、水平走査回路２５０と、これを繋ぐ配線がまとめられて、列ＡＤブロック１３０３を構成している。高速ロジックプロセス用チップ１３０１の中で各列ＡＤブロック１３０２、１３０３が互いに影響しないような配置にすることにより、比較器の反転による参照信号の歪みの影響が少なくなる。
【手続補正１２】
【補正対象書類名】明細書
【補正対象項目名】００８９
【補正方法】変更
【補正の内容】
【００８９】
上記の通り第６の実施形態によれば、積層型の撮像素子において、第１〜第５の実施形態のように隣接する比較器に異なる参照信号を入力する列ＡＤブロックの配置を、反転タイミングによる信号歪みの影響が少なくなるように、一定の距離をもって配置する。これにより積層型撮像素子においてより精度の高いデジタル値を出力可能になる。
【手続補正１３】
【補正対象書類名】図面
【補正対象項目名】図４
【補正方法】変更
【補正の内容】
【図４】
2015104021.tif 000001
【手続補正１４】
【補正対象書類名】図面
【補正対象項目名】図６
【補正方法】変更
【補正の内容】
【図６】
2015104021.tif 000002
【手続補正１５】
【補正対象書類名】図面
【補正対象項目名】図７
【補正方法】変更
【補正の内容】
【図７】
2015104021.tif 000003
【手続補正１６】
【補正対象書類名】図面
【補正対象項目名】図９
【補正方法】変更
【補正の内容】
【図９】
2015104021.tif 000004